(57)【特許請求の範囲】
【請求項１】
かみそりヘッド（６）に対して着脱可能に設けられた外刃ホルダー（２２）の上部に、前後一対の第１刃体（２３）が配置され、両刃体（２３）の間に第２刃体（２４）が配置してある電気かみそりであって、
外刃ホルダー（２２）は、ホルダー枠（３５）と、ホルダー枠（３５）で支持される前後一対の第１刃体（２３）の外刃（３４）と、両外刃（３４）の間に組み付けられる第２刃体（２４）とを含み、
第２刃体（２４）は、外刃（３８）と、内刃（３９）と、外刃（３８）の両端に係合装着される左右一対の側端ピース（４０）と、内刃（３９）に固定される受動片（４１）と、受動片（４１）に装着される、左右一対のばね腕（５５）を備えた内刃付勢用のばね（４２）を含んでユニット部品化されており、
ホルダー枠（３５）の内部に、先のばね（４２）を案内支持するガイド枠（３６）が配置されており、
第２刃体（２４）はホルダー枠（３５）に対して上面側から組み付けられて、その側端ピース（４０）とホルダー枠（３５）との間に設けた係合構造を介してホルダー枠（３５）に装着されており、
側端ピース（４０）の下面側に突出する左右のばね腕（５５）をガイド枠（３６）で受け止めて、内刃（３９）がばね（４２）で外刃（３８）に密着するよう押し上げ付勢してある電気かみそり。
【請求項２】
係合構造が、側端ピース（４０）の側端面に設けた弾性係合片（４６）と、ホルダー枠（３５）に設けた係合凹部（６３）とで構成されて、第２刃体（２４）がホルダー枠（３５）に対して着脱可能に装着してある請求項１記載の電気かみそり。
【請求項３】
ガイド枠（３６）が上向きに開口する断面コ字形のガイド溝（５６）を有する枠体で構成されており、
ガイド溝（５６）の内底中央に受動片（４１）用の通口（５７）が開口され、この通口（５７）の両側のガイド溝（５６）で、内刃付勢用のばね（４２）のばね腕（５５）をスライド案内している請求項１または２記載の電気かみそり。
【請求項４】
前後一対の第１刃体（２３）の外刃（３４）の一端が外刃ホルダー（２２）に装着され、他端がガイド枠（３６）の前面および後面に装着してある請求項１、２または３記載の電気かみそり。
【請求項５】
内刃付勢用のばね（４２）が、コ字状に折り曲げられる取付部（５４）と、取付部（５４）の両側下端に連続してハ字状に折り曲げられる左右一対のばね腕（５５）を一体に形成した板ばねで構成されており、
側端ピース（４０）の下面側に突出する左右のばね腕（５５）が、ガイド枠（３６）に設けたガイド溝（５６）でスライド自在に案内支持してある請求項１、２、３または４に記載の電気かみそり。
【発明の詳細な説明】
【０００１】
【発明の属する技術分野】
この発明は、前後一対の第１刃体と、両刃体間に配置した第２刃体とを備えている電気かみそりに関し、とくに第２刃体の構造とその支持構造を改良した点に特徴を有する。
【０００２】
【従来の技術】
この種の電気かみそりは、特許第２５００１９９号公報や特開平１１−１３７８６８号公報に公知である。前者かみそりにおいては、外刃と内刃、外刃の両端に溶着固定される一対の枠片、内刃に溶着固定される受動片、および両枠片と内刃との間に配置した一対の圧縮コイルばね等で第２刃体を構成し、ユニット部品化された第２刃体を外刃ホルダーに装着している。詳しくは一対の枠片の側面上下に連結穴を設け、両連結穴に外刃ホルダー側の一対のピンを係合して、第２刃体を外刃ホルダーと一体化している。
【０００３】
後者かみそりにおいては、外刃を外刃ホルダーに下面側から係合装着したうえで、内刃ユニットと、第１刃体の外刃が溶着されたカッター取付枠とを、外刃ホルダーに対して順に組み付けることにより、第２刃体を構成している。内刃ユニットは、内刃と、内刃に内嵌装着される内刃受台と、内刃受台に装着した一対の線ばねとからなり、線ばねの下遊端をカッター取付枠でスライド案内している。
【０００４】
【発明が解決しようとする課題】
上記のように、従来の電気かみそりにおける第２刃体は、構成部品点数が多いこともあって、各部品の組み立てに多くの手間が掛かる。前者かみそりの場合には、外刃と左右の枠片とを合計８個所で溶着し、内刃と受動片および左右のばね受片とを合計８個所で溶着する必要がある。さらに、ユニット部品化された第２刃体の左右４個の連結穴を外刃ホルダーのピンに係合する必要がある。また、外刃の両端に枠片を取り付ける際には、内刃押し上げのためのばねとばね受片も同時に組み込まなければならないが、殊に、細長い下向きコ字状の外刃内に圧縮変形した状態のばねや枠片等の小さな部品を組み込まなければならないので、組み付け作業性が著しく悪く、第２刃体の組み立てに多くの手間が掛かる。
【０００５】
後者電気かみそりの場合には、内刃受台に一対の線ばねを組み、さらに内刃を内刃受台に組んで内刃ユニットを予め構成しておき、外刃と内刃ユニットと、カッター取付枠とを、外刃ホルダーに対して順に組み付けた後、カッター取付枠を外刃ホルダーに対して溶着固定する必要がある。
【０００６】
前者かみそりの場合には、第２刃体がユニット部品化してあるので、それのみを外刃ホルダーから取り外して新規部品と交換できるが、後者かみそりの場合には、カッター取付枠を外刃ホルダーに溶着するので、第２刃体、あるいは第１刃体の外刃が破損した場合には、外刃ホルダーの全体を交換しなければならず、交換コストが高く付く。両者共、左右一対のコイルばね、あるいは左右一対の線ばねを用いて内刃を外刃に押し付け付勢するので、各ばねの組み付け姿勢のばらつきやばね自体の加工上のばらつきによって、内刃の外刃に対する密着力が刃長手方向にばらつきやすい。
【０００７】
この発明の目的は、第２刃体をそれ自体の全体構造を簡素化しながら、１個のユニット部品として構成し、各構成部品の組み立てに要する手間と、第２刃体の外刃ホルダーに対する組み立ての手間を軽減することにより、その分だけ組み立てに要するコストを減らすことにある。この発明の他の目的は、第２刃体を外刃ホルダーに対して簡単に着脱できるようにし、以て第２刃体が破損した場合の交換コストを減らすことにある。この発明の他の目的は、第２刃体のばねを案内支持するガイド枠が、第１刃体の外刃用の取付枠と、外刃ホルダーの補強枠とを兼ねるようにすることにより、外刃ホルダーの全体構造を簡素化しながら、その構造強度を向上することにある。
【０００８】
【課題を解決するための手段】
この発明の電気かみそりは、かみそりヘッド６に対して着脱可能に設けられた外刃ホルダー２２の上部に、前後一対の第１刃体２３が配置され、両刃体２３の間に第２刃体２４が配置してある。外刃ホルダー２２は、ホルダー枠３５と、ホルダー枠３５で支持される前後一対の第１刃体２３の外刃３４と、両外刃３４の間に組み付けられる第２刃体２４とを含む。第２刃体２４は、外刃３８と、内刃３９と、外刃３８の両端に係合装着される左右一対の側端ピース４０と、内刃３９に固定される受動片４１と、受動片４１に装着される、左右一対のばね腕５５を備えた内刃付勢用のばね４２とでユニット部品化してある。ホルダー枠３５の内部に、先のばね４２を案内支持するガイド枠３６が配置されている。第２刃体２４はホルダー枠３５に対して上面側から組み付けられて、その側端ピース４０とホルダー枠３５との間に設けた係合構造を介してホルダー枠３５に装着してある。側端ピース４０の下面側に突出するばね腕５５をガイド枠３６で受け止めて、内刃３９が外刃３８に密着するよう押し上げ付勢してある。
【０００９】
具体的には、係合構造は、側端ピース４０の側端面に設けた弾性係合片４６と、ホルダー枠３５に設けた係合凹部６３とで構成して、第２刃体２４をホルダー枠３５に対して着脱可能に装着する。
【００１０】
ガイド枠３６は上向きに開口する断面コ字形のガイド溝５６を有する枠体で構成する。ガイド溝５６の内底中央に受動片４１用の通口５７を開口し、この通口５７の両側のガイド溝５６で、内刃付勢用のばね４２のばね腕５５をスライド案内する。
【００１１】
前後一対の第１刃体２３の外刃３４の一端を外刃ホルダー２２に装着し、他端をガイド枠３６の前面および後面に装着する。
【００１２】
内刃付勢用のばね４２は、コ字状に折り曲げられる取付部５４と、取付部５４の両側下端に連続してハ字状に折り曲げられる左右一対のばね腕５５を一体に形成した板ばねで構成する。第２刃体２４の下面に突出する左右のばね腕５５を、ガイド枠３６に設けたガイド溝５６でスライド自在に案内支持する。
【００１３】
【作用および発明の効果】
第２刃体２４を一個のユニット部品として構成したうえで、それを上面側から組み付けてホルダー枠３５と一体化し、さらに第２刃体２４に設けた内刃付勢用のばね４２をホルダー枠３５に固定したガイド枠３６で受け止めて、内刃３９を外刃３８の側へ向って押し上げ付勢できるようにするので、第２刃体をホルダー枠の下面側から組み付ける従来の電気かみそりに比べて、第２刃体２４のホルダー枠３５に対する組み付けをワンタッチで行える。また、第２刃体２４を内刃３９と外刃３８、内刃付勢用のばね４２、一対の側端ピース４０、および受動片４１などで一個のユニット部品として構成するので、従来の第２刃体に比べて第２刃体２４自体の構造を簡素化できる。内刃付勢用のばねを圧縮変形した状態で予め組み込む必要があった、従来のユニット部品化された第２刃体とは異なり、この発明では、側端ピース４０の下面側に突出する左右のばね腕５５をガイド枠３６で受け止めるようにした。つまり、ユニット部品化された第２刃体２４をホルダー枠３５に組み込んで初めて、内刃付勢用のばね４２がガイド枠３６に受け止められて弾性変形されるようにするので、ばねの組み付けに関して緻密な作業を行う必要がなく、第２刃体２４をホルダー枠３５に組み付けるだけの簡単な作業で、内刃３９をばね４２で適正に押し上げ付勢でき、その分だけ組み立てに要する手間とコストを削減できる
【００１４】
左右一対のばね腕５５を有する一個のばね４２で内刃３９を押し上げ付勢し、さらに外刃３８の両端に係合装着される側端ピース４０に弾性係合片４６を一体に設ける第２刃体２４によれば、全体の部品点数を減少して、その分だけ第２刃体２４の組み付けに要する手間を減らすことができる。また、弾性係合片４６を操作して第２刃体２４をホルダー枠３５から簡単に取り外せるので、その交換を容易に行える。交換コストも少なくて済む。
【００１５】
ガイド枠３６に設けた断面コ字状のガイド溝５６で内刃付勢用のばね４２をスライド案内するガイド構造によれば、落下衝撃等の外力がばね４２に作用する場合にも、ばね４２のスライド端がガイド枠３６から外れるのを阻止できるうえ、ガイド枠３６自体の構造強度を増強して、ホルダー枠３５に対するガイド枠３６の補強作用を向上できる。また、ガイド枠３６を利用して、その前面および後面に第１刃体２３の外刃３４を装着するホルダー構造によれば、ガイド枠３６を本来の機能に加えて、先の外刃３４の取付枠として利用し、さらに上記のようにホルダー枠３５の補強体として兼用できるので、その分だけ外刃ホルダー２２の全体構造を簡素化しながら構造強度を向上できる。
【００１６】
【実施例】
図１ないし図１８にこの発明を適用した水洗い式の電気かみそりを示す。この電気かみそりはかみそりヘッドが前後揺動自在に軸支された、首振り型の電気かみそりからなる。図２ないし図９において、電気かみそりは、下向きに開口する異形筒形の本体ケース１と、その内部に下面側から差し込み装填される電装品ユニット２、および底ケース３と、本体ケース１の上面に固定されるヘッドフレーム４と、ヘッドフレーム４の左右一対の側枠５・５で前後揺動自在に、つまり首振り自在に支持されたかみそりヘッド６などを主な構成部材にして構成してある。
【００１７】
ヘッドフレーム４と電装品ユニット２とを、本体ケース１の上壁を間にしてビス７で締結し、さらに、底ケース３と電装品ユニット２とをビス８で締結し、これらの締結部をＯリングやパッキンでシールすることにより、本体ケース１内への水の浸入を阻止し、かみそりヘッド６の水洗いを可能としている、なお、電装品ユニット２は、プラスチック成形されたユニットベース１１にモータ９、二次電池１０、回路基板などを組み付け、回路基板上にモータ起動用のスイッチ等を配置してなる。
【００１８】
本体ケース１の前面にはモータ起動用のスイッチノブ１３を設ける。ヘッドフレーム４の後面にはきわぞり刃ユニット１４を配置し、このユニット１４を起伏操作するスライドノブ１５を本体ケース１の後面に設けている（図９参照）。モータ動力は、モータ９の出力軸に固定した偏心カム１６と、偏心カム１６でそれぞれ往復駆動されるきわぞり系の振動子１７、および内刃系の振動子１８を介して、きわぞり刃ユニット１４、および後述する内刃に伝動される。
【００１９】
図６ないし図９においてかみそりヘッド６は、逆門形のフレーム２０と、フレーム２０にビス止めされる蓋体２１とを取付基体にして、フレーム２０と蓋体２１で囲まれる室内に内刃用の振動子１８と、外刃ホルダー２２用のロック機構とを組み込み、フレーム２０に対して外刃ホルダー２２を着脱可能に被せ付けてなる。この外刃ホルダー２２と蓋体２１との間に前後一対の第１刃体２３・２３を配置し、両刃体２３の間に第２刃体２４を設けて、これら両者２３・２４を先の振動子１８で同時に駆動できるようにしている。振動子１８には、蓋体２１の上面に突出する前後一対の駆動軸２５が設けてある。
【００２０】
フレーム２０の左右一対の側壁の外面に固定した軸２６を、ヘッドフレーム４で軸支することにより、かみそりヘッド６の全体が前後方向へ首振り揺動できる。かみそりヘッド６を首振り不能にロックするために、図７に示すようにヘッドフレーム４の一側に上下スライドするロックノブ２９とロック棒３０とを設け、ロック棒３０が上方スライドしてフレーム２０のロック凹部３１と係合する状態において、かみそりヘッド６をロック固定できるようにしている。
【００２１】
図８において、第１刃体２３は、先の駆動軸２５に分離可能に圧嵌装着される内刃３３と、外刃ホルダー２２で断面アーチ形に支持される外刃３４とからなり、駆動軸２５の内部に配置したばねで内刃３３を外刃３４に押し付け付勢している。
【００２２】
外刃ホルダー２２は、前後壁と左右壁とを有する上下が開口するホルダー枠３５と、その上面の前後に配置した上記の外刃３４と、両外刃３４の間に配置した第２刃体２４、および第２刃体２４の下方に設けられるガイド枠３６などで構成する。これらの構成部品のうち、第１刃体２３用の前後の外刃３４は、ガイド枠３６の前面および後面にフロート枠６１を介して溶着されて一体化してある。第２刃体２４は、以下に述べるように一個のユニット部品として構成してある。
【００２３】
図１２および図１３に示すように、第２刃体２４は、下向きに開口するコ字枠状の外刃３８と、外刃３８に内嵌して左右に往復駆動される内刃３９と、外刃３８の両端に係合装着される左右一対の側端ピース４０と、内刃３９の中央に固定される受動片４１と、受動片４１に組み付けられて内刃３９を外刃３８に押し付け付勢するばね４２とで構成する。
【００２４】
図１２に示すように、側端ピース４０はＬ字状の基部４４の上面内隅に内刃３９用のガイド片４５を突設し、基部４４の外側端に弾性係合片４６を一体に設けたプラスチック成形品からなる。基部４４の内側端の前後面と、コーナー部の前後面のそれぞれには、合計４個の係合突起４７が突設してあり、これらの突起４７を、外刃３８の側端寄りの前後壁に設けた係合溝４８・４９に差し込み係合することにより、側端ピース４０を外刃３８と一体化できる。
【００２５】
受動片４１は、下半側に受動溝５０が切り欠き形成してある板状のプラスチック成形品からなり、その上半部を内刃３９の内面中央に差し込み、前後面に設けた溶着ピン５１を内刃３９の溶着穴に係合した後、ピン先端を加熱して拡径変形することにより内刃３９と一体化してある。溶着ピン５１より上方の板面一側にばね溝５２を凹み形成し、これにばね４２を掛止装着している。
【００２６】
ばね４２は、コ字形に折り曲げられる取付部５４と、取付部５４の両側下端に連続して、ハ字状に折り曲げられる左右一対のばね腕５５を一体に形成した板ばねとからなり、取付部５４の水平壁部を受動片４１のばね溝５２に掛止装着する。この状態の受動片４１を、先に述べたように内刃３９に溶着固定することにより、取付部５４が内刃３９の前壁３９ａ（又は後壁３９ｂ）で抜け止め保持される。ばね腕５５の先端は引っ掛かり防止のために上向きに折り曲げてある。
【００２７】
内刃付勢用のばね４２を受け止めて、そのばね腕５５を左右スライド自在に案内支持するためにガイド枠３６を設けている。ガイド枠３６には、上向きに開口する断面コ字状のガイド溝５６を設け、その内底中央に受動片４１用の通口５７を開口する。ガイド枠３６の両端外面には係合片５８が突設してある。この係合片５８をホルダー枠３５の左右側壁に設けた係合凹部５９に圧嵌係合することにより、ガイド枠３６がホルダー枠３５と一体化される。ホルダー枠３５に装着したガイド枠３６は補強材として機能しており、ガイド溝５６を設けることによって断面係数が増強されることも加わってホルダー枠３５の構造強度を向上することに役立っている。
【００２８】
先に説明したように、ガイド枠３６を利用して、その前後面に第１刃体２３の外刃３４が溶着固定してある（図１１参照）。この外刃３４が溶着された状態のガイド枠３６を、ホルダー枠３５の係合凹部５９に圧嵌係合した後、外刃３４の他端縁に溶着固定したフロート枠６１をホルダー枠３５の前後壁の内面に溶着固定することにより、前後一対の外刃３４が図１０に示すようにそれぞれ断面アーチ形に保持される。フロート枠６１は外刃３４の沈み込みを吸収して、外刃３４を内刃３３に常に密着させるために設けてある。
【００２９】
ガイド枠３６をホルダー枠３５に装着した後に、ユニット部品化された第２刃体２４を、上記の両外刃３４の間の隙間に組み付ける。この組み付けをワンタッチで行うために、側端ピース４０と、ホルダー枠３５との間に係合構造を設けている。詳しくは、側端ピース４０と一体に設けた弾性係合片４６と、ホルダー枠３５の左右側壁の上端寄りに通設した係合凹部６３とで、係合構造を構成する。
組み付け時には、図１４に示すように一方の弾性係合片４６を片側の係合凹部６３に当てがいながら、第２刃体２４の全体を押し込み操作することにより、他方の弾性係合片４６を他側の係合凹部６３にパチンとはめ込むことができる。この装着状態において、ばね腕５５はガイド枠３６のガイド溝５６で受け止められて弾性変形する。従って、内刃３９を押し上げ付勢して外刃３８に密着できる。なお、弾性係合片４６を係合凹部６３の外面開口の側から押し込み操作すると、両者４６・６３の係合状態を解除して、第２刃体２４をホルダー枠３５から取り外すことができる。
【００３０】
第２刃体２４の内刃３９は、振動子１８の前後の駆動軸２５に外嵌装着した駆動ピース６５で往復駆動される。駆動ピース６５は蓋体２１の開口面を塞ぐベース壁６６を有し、その前後中央に受動片４１の受動溝５０内に入り込む駆動突起６７が上向きに突設してある。ベース壁６６は、フレーム２０と蓋体２１とで囲まれる室内へ毛屑が入り込むのを防止し、以て、前記室内に配置した振動子１８やロックピース７７に毛屑や皮脂等が膠着し、これら駆動部品の動作が阻害されるのを防止するのに役立っている。
【００３１】
外刃ホルダー２２は、かみそりヘッド６に対して、前後方向へ開放揺動可能に連結されていて、水洗い時に第１刃体２３の内刃３３の外面を大きく開放できるようになっている。そのために、図１０および図６に示すように蓋体２１の後面両側に左右一対のガイド片７０を一体に成形し、ガイド片７０で区画した上下に長い溝７１で、ホルダー枠３５の後壁の下端両側に突設した軸体７２を上下スライド自在に案内支持している。ガイド片７０の下端寄りには、軸体７２の出し入れを許す連結口７３を設け、この連結口７３より下側の枠部分を保持部７４としている。なお、連結口７３の上下隙間は、軸体７２の直径寸法より僅かに小さく設定してある。
【００３２】
上記のように、ホルダー枠３５に設けた軸体７２を溝７１でスライド案内することにより、外刃ホルダー２２は、そのホルダー枠３５がフレーム２０の装着部に嵌着され、同時に外刃３４が内刃３３に密接する使用位置（図９の状態）と、外刃ホルダー２２の全体が溝７１の上端まで上方スライドして、装着部および内刃３３から分離した揺動待機位置（図１５に示す状態）と、外刃ホルダー２２が軸体７２を中心にしてかみそり後面側へ反転揺動して内刃３３および毛屑室の前後面を完全に開放する開放位置（図１５に想像線で示す状態）とに変位できる。
外刃ホルダー２２を、一旦揺動待機位置まで上方スライドさせるのは、その開放揺動時に、ホルダー枠３５が内刃３３と接当干渉するのを避け、さらに第２刃体２４の受動片４１と駆動ピース６５を分離するためである。
【００３３】
装着部に嵌着した外刃ホルダー２２をロック保持するために、図１７に示すロック機構を設けている。ロック機構は、ヘッドフレーム４の一方の側枠５に装着したロック解除用のボタン７６と、フレーム２０内に組み込まれたロックピース７７および左右一対の圧縮コイル形のばね７８とホルダー枠３５の前後壁の内面に設けた係合凹部７９などで構成する。図６においてロックピース７７は、前後中央に設けた横長棒状の芯軸８０と、装着部の前後壁から外面に突出する左右一対ずつのロック体８１と、芯軸８０とロック体８１とを繋ぐ４個のヒンジ部８２とを一体に形成したプラスチック成形品からなり、前後で対を為すロック体８１・８１の間にばね７８を介装して、各ロック体８１・８１を前方および後方へ向かって進出付勢する。芯軸８０の一端は、フレーム２０の一側壁でスライド自在に案内支持されて、その軸端がボタン７６に臨んでいる。従って、ボタン７６を押し込み操作すると、芯軸８０が図１７において中右方へ移動して、各ロック体８１をばね７８の付勢力に抗しながらフレーム内方へ退入操作し、係合凹部７９との係合状態を解除する。
【００３４】
上記のように構成した電気かみそりは、洗浄前に、ボタン７６を押し込んでロック体８１と係合凹部７９の係合状態を解除する。このロック解除操作によって、外刃ホルダー２２の全体が内刃３３を押し上げ付勢するばねで、数mm上方変位される。この状態のまま、外刃ホルダー２２を溝７１に沿って揺動待機位置まで上方スライドすると、軸体７２が溝７１の上端で受け止められるので、引き続き外刃ホルダー２２をかみそり後方へ反転状に揺動操作することにより、内刃３３の前後面を開放できる。このように、かみそりヘッド６の内面を露出した状態で、内刃３３や毛屑室に流水を流し掛けることにより、これらに付着した毛屑や皮脂をきれいに洗い流すことができる。
【００３５】
上記の実施例以外に、第２刃体２４は全体が沈み込み可能にホルダー枠３５に装着できる。例えばホルダー枠３５の係合凹部６３を上下に長い溝状に形成しておき、外刃３８に強い押圧外力が作用するとき、第２刃体２４の全体をばね４２の付勢力に抗して沈み込み変位させることができる。ばね４２は、板ばね以外に線ばねで形成でき、必要があれば、左右のばね腕５５を別個の部品で形成することができる。ガイド枠３６の両端に、ホルダー枠３５の左右側壁の内面に沿って上方へ延びる立壁部を設け、この立壁部に弾性係合片４６と係合する係合凹部６３を設けることができる。さらに、ばね４２は受動片４１と一体に成形してプラスチックばねで形成することができ、この場合には部品点数を削減できる分だけ、第２刃体２４の製作コストを減少できる。
【００３６】
第２刃体２４をホルダー枠３５に装着するための係合構造としては、ホルダー枠３５の側に弾性係合片４６を設け、側端ピース４０の側に先の係合片４６と係合する係合凹部６３を設けることができる。ガイド枠３６はホルダー枠３５と一体に成形することができる。
【図面の簡単な説明】
【図１】第２刃体の取付構造を示す断面図である。
【図２】電気かみそりの斜視図である。
【図３】電気かみそりの分解断面図である。
【図４】本体ケースの分解斜視図である。
【図５】かみそりヘッド側の分解斜視図である。
【図６】かみそりヘッドの分解斜視図である。
【図７】かみそりヘッドの中央縦断正面図である。
【図８】かみそりヘッドの内刃中心を通る縦断正面図である。
【図９】かみそりヘッドの縦断側面図である。
【図１０】外刃ホルダーを分離した状態の縦断側面図である。
【図１１】第１刃体の外刃取付構造を示す分解斜視図である。
【図１２】第２刃体の分解斜視図である。
【図１３】第２刃体の全部品を分解した斜視図である。
【図１４】第２刃体の組み付け途中状態を示す断面図である。
【図１５】外刃ホルダーを上方スライドした状態の縦断側面図である。
【図１６】外刃ホルダーを取り外した状態の背面図である。
【図１７】外刃ホルダー用のロック機構を示す横断平面図である。
【図１８】きわぞり刃の駆動構造を示す横断平面図である。
【符号の説明】
６  かみそりヘッド
２２  外刃ホルダー
２３  第１刃体
２４  第２刃体
３４  第１刃体の外刃
３５  ホルダー枠
３６  ガイド枠
３８  第２刃体の外刃
３９  第２刃体の内刃
４０  側端ピース
４２  ばね
【図１】
0004535348.tif 000002
【図２】
0004535348.tif 000003
【図３】
0004535348.tif 000004
【図４】
0004535348.tif 000005
【図５】
0004535348.tif 000006
【図６】
0004535348.tif 000007
【図７】
0004535348.tif 000008
【図８】
0004535348.tif 000009
【図９】
0004535348.tif 000010
【図１０】
0004535348.tif 000011
【図１１】
0004535348.tif 000012
【図１２】
0004535348.tif 000013
【図１３】
0004535348.tif 000014
【図１４】
0004535348.tif 000015
【図１５】
0004535348.tif 000016
【図１６】
0004535348.tif 000017
【図１７】
0004535348.tif 000018
【図１８】
0004535348.tif 000019